(57)【特許請求の範囲】
【請求項１】
記録媒体であるディスクを収納したカートリッジを記録又は再生する筐体内でシャッタを右側に配置させて所定の記録又は再生位置に搬送する記録媒体ローディング装置において、
前記筐体内でフローティング（浮遊）状態に支持されて前記カートリッジ右側のシャッタを開き前記ディスクの片側半径に沿って摺動して情報を記録又は再生する光ピックアップ、磁気ヘッドなどの記録再生部を備えた浮動シャーシと、
前記浮動シャーシ上に配置されて前記筐体内に挿入した前記カートリッジを保持して前記記録再生部の光ピックアップと磁気ヘッドとの間に搬送して位置決めする保持部材と、
前記保持部材の右側面に摺動可能に装着されて前記カートリッジの前記シャッタ側に係合して摺動することで前記保持部材内に前記カートリッジを挿入及び排出する係合部材と、
前記保持部材の前記係合部材側と対向する他方の片側に、一端が回動可能に軸支されて他端が前記磁気ヘッドなどの記録再生部上を介して前記係合部材に向かって延在して係合するアーム部材と、
前記アーム部材が回動可能に軸支された端部に係合して前記アーム部材を回動させて前記係合部材を同時に摺動させる駆動源とを備え、
前記アーム部材は、前記保持部材が前記カートリッジを挿入又は排出する状態では、前記記録再生部の少なくとも先端部の上部を覆って保護するように形成したことを特徴とする記録媒体ローディング装置。
【請求項２】
請求項１に記載の記録媒体ローディング装置において、
前記駆動源は、前記保持部材の前記係合部材側と対向する他方の片側に配置して前記記録再生部の動作スペースを確保することを特徴とする記録媒体ローディング装置。
【請求項３】
請求項１に記載の記録媒体ローディング装置において、
前記係合部材は、前記記録再生部が記録または再生する際に開閉する前記カートリッジのシャッタ側に係合して前記駆動源から前記アーム部材を介して駆動力を伝達して摺動することで、前記シャッタを確実に開閉できるように設けたことを特徴とする記録媒体ローディング装置。
【請求項４】
請求項１に記載の記録媒体ローディング装置において、
前記駆動源は、モータの駆動力をギヤ列を介して所定の速度に調節して前記アーム部材に伝達することを特徴とする記録媒体ローディング装置。
【請求項５】
請求項１に記載の記録媒体ローディング装置において、
前記浮動シャーシと保持部材とは、携帯を目的とする前記筐体内に配置されており、この筐体内で外部からの電磁波による悪影響を受けないようにシールドケース内にフローティング状態に支持してシールド（密閉）していることを特徴とする記録媒体ローディング装置。
【発明の詳細な説明】
【０００１】
【発明の属する技術分野】
本発明は、記録媒体ローディング装置に係り、より詳細にはカートリッジ内にディスクを収納した、例えば、ＭＤなどの記録媒体を記録又は再生する筐体内でカートリッジに係合して所定の位置に挿入または排出を行う記録媒体ローディング装置に関する。
【０００２】
【従来の技術】
ディスク（光ディスクまたは磁気ディスク）をカートリッジ内に収納した記録媒体（例えば、ＭＤ、ＭＯ等）を記録又は再生する場合、記録又は再生を行う装置の筐体内に衝撃を防止するフローティング（浮遊）状態に支持した浮動シャーシを設け、この浮動シャーシ上に光ピックアップ、磁気ヘッドなどの記録再生部を設けて記録又は再生を行っていた。そして、筐体内には、カートリッジを保持して記録再生部の所定位置に搬送するための記録媒体ローディング装置を設けている。この従来の記録媒体ローディング装置は、例えば、携帯を目的とする記録又は再生装置では筐体自体を種々の場所に持ち運ぶことで外側から電磁波の悪影響を受けないようにシールドケース内に配置しており、このシールドケース内の狭いスペースに効率良く配置して、且つ、カートリッジを確実に記録再生部に搬送できるように形成することが要求される。図４は、このようなＭＤを記録又は再生する携帯可能な装置に採用した従来の記録媒体ローディング装置を示す図である。また、図５は、図４に示した保持部材４０を上部から見た状態を示す平面図である。
【０００３】
図５に示すように、ＭＤを記録又は再生する携帯可能な装置に採用した従来の記録媒体ローディング装置は、カートリッジに光ディスクを収納したＭＤ１を挿入及び排出する挿入口Ｂを形成した筐体（図示せず）を備え、この筐体内にシールドケース５０によってシールド（密閉）され、ＭＤ１の情報を記録又は再生する光ピックアップ６２、磁気ヘッド６４などの記録再生部を備えた浮動シャーシ６０と、この浮動シャーシ６０上に配置されて筐体内に挿入したＭＤ１を保持して記録再生部に搬送する保持部材４０と、この保持部材４０の片側面（図４に示した左側）に摺動可能に装着されてＭＤ１に係合して保持部材４０内に挿入及び排出する係合部材４２と、この係合部材４２と係合して保持部材４０の片側面に沿って係合部材４２を摺動させる伝達部材４４と、この伝達部材４４に駆動力を伝達して係合部材４２と同時に摺動させるモータ４とを備えている。
【０００４】
ここで、浮動シャーシ６０は、ＭＤ１を記録又は再生するために、ＭＤ１の底面で摺動する光ピックアップ６２と、この光ピックアップ６２の上部に対向するように延在する磁気ヘッド６４とを備えている。ＭＤ１は、光ピックアップ６２から光ディスクにレーザパワーを照射するとともに、光ディスクの上部から磁気ヘッド６４が磁界（Ｎ、Ｓ極）を加えることで所定の情報が記録又は再生される。また、浮動シャーシ６０の上部には、保持部材４０を配置して、この上面に蓋体７４を封止するように装着している。そして、浮動シャーシ６０には、保持部材４０により保持されて搬送したＭＤ１の基準穴（図示せず）に挿入して位置決めする突起部６０ａを形成している。また、浮動シャーシ６０は、ＭＤ１の記録又は再生時に振動などの衝撃を吸収するため、基台７２の上部に弾性部材２を介してフローティング（浮遊）状態に支持されている。これにより基台７２には、浮動シャーシ６０、ローディング手段５０、及び蓋体７４が弾性部材２によりフローティング状態に支持される。
【０００５】
また、保持部材４０は、片側内面から中心に向かって突出する突部４０ａを一体に形成しており、ＭＤ１を挿入することでＭＤ１のシャッタ１ａをスライドさせて開き、内部に収納したディスク（光ディスク）を露出させて光ピックアップ６２及び磁気ヘッド６４により記録又は再生できるように配置している。また、保持部材４０には、挿入されたＭＤ１の片側（図４では左側）に係合して摺動する係合部材４２と、この係合部材４２を摺動させる伝達部材４４とを備えている。この伝達部材４４は、ギヤ列６ａ、６ｂ、６ｃを介してモータ４に連結されており、モータ４の駆動力を受けて係合部材４２を保持部材４０の片側面に沿って摺動するように配置されている。従って、モータ４の駆動力は、ギヤ列６を介すことにより減速して伝達部材４４に伝達され、この伝達部材４４から係合部材４２に伝えられる。ここで、保持部材４０には、モータ４、ギヤ列６、伝達部材４４、及び係合部材４２を図４に示した左側に配置して右側の光ピックアップ６２、磁気ヘッド６４による動作スペースを確保している。
また、シールドケース５０は、下ケース５２と上ケース５４とからなり、下ケース５２に基台７２を固定し、この下ケース５２の上方から上ケース５４を被うよう嵌合することで、ＭＤ１の記録又は再生時に外部から電磁波の悪影響を受けないように形成している。
【０００６】
このような構成からなる従来の記録媒体ローディング装置は、図４に示したように、ＭＤ１を筐体（図示せず）内に挿入すると、ＭＤ１が保持部材４０内に挿入されてＭＤ１のローディングホール（図示せず）が係合部材４２に係合する。この際、浮動シャーシ６０は、基台７２またはシールドケース５０などに係合して弾性部材２によるフローティング状態をロック（固定）している。そして、ＭＤ１を更に保持部材４０内に挿入すると、係合部材４２と伝達部材４４とがＭＤ１とともに保持部材４０の側面（左側面）に沿って摺動する。この際、筐体内では、係合部材４２及び伝達部材４４の摺動状態を感知する感知部（図示せず）を備えており、この感知部の感知結果に応じてモータ４を回転するように形成されている。これにより係合部材４２は、モータ４の回転力がギヤ列６及び伝達部材４４を介して伝達され、図４に示した後方に摺動してＭＤ１を保持部材４０内に収納する。そして、保持部材４０は、光ピックアップ６２と磁気ヘッド６４との間で前後及び上下方向に移動してＭＤ１を所定のローディング位置に搬送し、ＭＤ１の基準穴（図示せず）を浮動シャーシ６０の突起部６０ａに挿入させて位置決めする。また、浮動シャーシ６０は、ＭＤ１が所定のローディング位置に位置決めされると、ロック状態を解除してフローティング状態に支持され、振動などの衝撃を吸収する。これによりＭＤ１は、フローティング状態の浮動シャーシ６０上で光ピックアップ６２、磁気ヘッド６４により所定の情報を安全に記録又は再生することが可能になる。
【０００７】
このように、従来の記録媒体ローディング装置は、狭いシールドケース５０内で光ピックアップ６２、磁気ヘッド６４などの記録再生部の動作スペースを確保して、この記録再生部の図４に示した左側にモータ４、ギヤ列６、伝達部材４４、及び係合部材４２などの部品を配置して駆動させることで、ＭＤ１を係合部材４２に係合させて筐体内に引き込み所定のローディング位置に搬送して位置決めしていた。
【０００８】
しかしながら、従来の記録媒体ローディング装置では、ＭＤ１のシャッタ１ａが図４に示した右側に配置されている構造上、浮動シャーシ６０及び保持部材４０における右側半分が、光ピックアップ６２、磁気ヘッド６４の動作スペースとして占有されるため、モータ４、ギヤ列６、伝達部材４４、及び係合部材４２などの部品を左側半分の領域に配置することが必然的であった。従って、ＭＤ１は、常に、シャッタ１ａの無い側（図４に示した左側）に係合部材４２と係合するローディングホール（図示せず）を形成していた。
【０００９】
このため、係合部材４２は、図５に示すように、ＭＤ１に係合して引き込む際、ＭＤ１の片側にはシャッタ１ａと突部４０ａとが当接してシャッタ１ａを開くための負荷が加わるため、ＭＤ１に係合した位置（左側）からではＭＤ１を引き込む駆動力を十分に伝達することが困難になってしまう。
また、保持部材４０は、ＭＤ１を案内するため所定のクリアランスを備えており、このクリアランスにより、図５に示したように係合部材４２によって引き込んだ際にＭＤ１が傾いてシャッタ１ａ側が保持部材４０内に遅れて挿入する。このように、ＭＤ１が傾いてシャッタ１ａ側が保持部材４０内に遅れて挿入した場合、図４に示した浮動シャーシ６０の突起部６０ａとＭＤ１の基準穴（図示せず）とがお互いに嵌入しないため、位置決めを良好に実行できなくなる。
さらに、図４に示した浮動シャーシ６０の磁気ヘッド６４は、先端部６４ａが脆弱であり装置の組立や取扱時に不意な破損を防ぐため、保護部材が必要とされる場合が多く、この磁気ヘッド６４に使用する保護部材は専用に形成したものが必要であった。
【００１０】
【発明が解決しようとする課題】
このように、従来の記録媒体ローディング装置では、図５に示したように、係合部材４２がＭＤ１と係合して引き込む際に、片側でシャッタ１ａと突部４０ａとが当接して負荷が加わり、係合部材４２がＭＤ１と係合する位置（左側）では引き込む駆動力を伝達し難くなるため、モータ４からの駆動力に対してロスが大きくなりシャッタ１ａの開閉動作が良好に行えないという不具合があった。
また、従来の記録媒体ローディング装置では、図５に示したように、保持部材４０とＭＤ１とのクリアランスによりＭＤ１が傾いた状態で保持部材４０内に挿入され、図４に示した浮動シャーシ６０の突起部６０ａとＭＤ１の基準穴（図示せず）とが嵌入しないため、ＭＤ１を光ピックアップ６２及び磁気ヘッド６４が位置する記録再生部に位置決めできなくなりローディング動作の信頼性が低下するという不具合があった。
さらに、従来の記録媒体ローディング装置では、図４に示した浮動シャーシ６０の磁気ヘッド６４が脆弱であり保護する専用の保護部材が必要であるため、部品コストがかかり、装置全体のコストも高くなるという不具合があった。
本発明はこのような課題を解決し、記録媒体のカートリッジを確実に保持して記録又は再生位置に正確に位置決めできる低コストの記録媒体ローディング装置を提供することを目的とする。
【００１１】
【課題を解決するための手段】
本発明は上述の課題を解決するために、記録媒体であるディスクを収納したカートリッジを記録又は再生する筐体内でシャッタを右側に配置させて所定の記録又は再生位置に搬送する記録媒体ローディング装置であって、筐体内でフローティング状態に支持されてカートリッジ右側のシャッタを開きディスクの片側半径に沿って摺動して情報を記録又は再生する光ピックアップ、磁気ヘッドなどの記録再生部を備えた浮動シャーシと、この浮動シャーシ上に配置されて筐体内に挿入したカートリッジを保持して記録再生部の光ピックアップと磁気ヘッドとの間に搬送して位置決めする保持部材と、保持部材の右側面に摺動可能に装着されて、カートリッジのシャッタ側に係合して摺動することで保持部材内にカートリッジを挿入及び排出する係合部材と、保持部材の係合部材側と対向する他方の片側に、一端が回動可能に軸支されて他端が磁気ヘッドなどの記録再生部上を介して係合部材に向かって延在して係合するアーム部材と、このアーム部材が回動可能に軸支された端部に係合してアーム部材を回動させて係合部材を同時に摺動させる駆動源とを備え、アーム部材は、保持部材がカートリッジを挿入又は排出する状態では、記録再生部の少なくとも先端部の上部を覆って保護するように形成する。
【００１２】
ここで、駆動源は、保持部材の係合部材側と対向する他方の片側に配置して記録再生部の動作スペースを確保することが好ましい。また、係合部材は、記録再生部が記録または再生する際に開閉するカートリッジのシャッタ側に係合して駆動源からアーム部材を介して駆動力を伝達して摺動することで、シャッタを確実に開閉できるように設けることが好ましい。また、駆動源は、モータの駆動力をギヤ列を介して所定の速度に調節してアーム部材に伝達することが好ましい。また、浮動シャーシと保持部材とは、携帯を目的とする筐体内に配置し、この筐体内で外部からの電磁波による悪影響を受けないようにシールドケース内にフローティング状態に支持してシールドすることが好ましい。
【００１３】
【発明の実施の形態】
次に、添付図面を参照して本発明による記録又は再生装置の実施の形態を詳細に説明する。図１は、本発明による記録媒体ローディング装置の実施の形態を示す図である。また、図２は、図１に示した矢印Ｂ方向から見た平面図である。また、図３は、図２に示したＣ−Ｃ線の断面を示す断面図である。
【００１４】
図１に示すように、本発明による記録媒体ローディング装置の実施の形態は、図４に示した従来技術と同様にＭＤを記録又は再生する携帯可能な装置に採用したものであり、カートリッジに光ディスクを収納したＭＤ１を挿入及び排出する挿入口Ａを形成した筐体（図示せず）を備え、この筐体内にシールドケース２０によりシールド（密閉）され、ＭＤ１の情報を記録又は再生する光ピックアップ３２、磁気ヘッド３４などの光学部品を備える浮動シャーシ３０と、この浮動シャーシ３０上に配置されて筐体内に挿入したＭＤ１を保持して記録再生部に搬送する保持部材１０と、この保持部材１０の片側に摺動可能に装着されてＭＤ１に係合して保持部材１０内に挿入及び排出する係合部材１２と、この係合部材１２と係合して保持部材１０の片側面に沿って係合部材１２を摺動させるアーム部材１４と、このアーム部材１４に駆動力を与えて回転させて係合部材１２を同時に摺動させるモータ４とを備えている。
【００１５】
ここで、浮動シャーシ３０は、図４に示した従来技術とは異なり、下ケース２２及び上ケース２４からなるシールドケース２０内に直接、弾性部材２を介してフローティング（浮遊）状態に支持してシールド（密閉）することで電磁波の悪影響を低減している。従って、本実施の形態では、図４に示した従来技術の基台７２及び蓋体７４が不要になり、部品点数を削減してコストを低減し、簡単な構造により容易に製造できるように形成している。また、浮動シャーシ３０は、図４に示した従来技術と同様に、ＭＤ１を記録又は再生するために、ＭＤ１の底面で摺動する光ピックアップ３２と、この光ピックアップ３２の上部に対向するように延在する磁気ヘッド３４とを備えている。ＭＤ１は、光ピックアップ３２から光ディスクにレーザパワーを照射するとともに、磁気ヘッド３４が光ディスクの上部から磁界（Ｎ、Ｓ極）を加えることで所定の情報が記録又は再生される。また、浮動シャーシ３０には、上部の光ピックアップ３２と磁気ヘッド３４との間で前後及び上下方向に移動してＭＤ１を所定の再生または排出位置に搬送する保持部材１０を配置している。そして、浮動シャーシ３０には、光ピックアップ３２及び磁気ヘッド３４が位置する記録再生部に、保持部材１０が搬送したＭＤ１の基準穴（図示せず）に挿入してＭＤ１を記録再生部に位置決めする突起部３０ａを形成している。
【００１６】
また、保持部材１０は、図４に示した従来技術と同様に、片側内面から中心に向かって突出する突部１０ａを一体に形成しており、ＭＤ１を挿入することでＭＤ１のシャッタ１ａをスライドさせて開き、内部に収納したディスク（光ディスク）を露出させて光ピックアップ３２及び磁気ヘッド３４により記録又は再生できるように配置している。また、保持部材１０には、挿入されたＭＤ１に係合して摺動する係合部材１２と、この係合部材１２を摺動させるアーム部材１４とを備えている。この係合部材１２とアーム部材１４とは、図４に示した従来技術とは異なり、係合部材１２を保持部材１０の片側（図１に示した右側）に摺動可能に装着し、この係合部材１２と対向する他方の片側（図１に示した左側）からアーム部材１４を延在させて係合部材１２に係合させている。アーム部材１４は、保持部材１０の左側に軸１４ａを設けて回動可能に軸支し、他端が磁気ヘッド３４などの記録再生部上を介して係合部材１２に向かって延在して係合ピン１４ｂにより係合部材１２と係合している。このアーム部材１４は、軸１４ａを設けた一端にギヤ部１４ｃを設けてギヤ列６ａ、６ｂ、６ｃを介してモータ４に連結している。このモータ４は、ギヤ列６を介すことにより減速してアーム部材１４に伝達する。
【００１７】
ここで、保持部材１０には、モータ４、ギヤ列６、アーム部材１４が噛み合う位置を図１に示した左側に設定し、右側の光ピックアップ３２、磁気ヘッド３４の動作スペースを確保している。また、係合部材１２は、保持部材１０の突部１０ａ側に摺動可能に装着してＭＤ１のシャッタ１ａ側に係合し、図５に示した従来技術に比べてモータ４からの駆動力に対する引き込む力のロスを低減している。従って、本実施の形態では、光ピックアップ３２及び磁気ヘッド３４の動作スペースを確保するためにモータ４、ギヤ列６、アーム部材１４などの駆動部を保持部材１０の左側に配置し、ＭＤ１と係合する係合部材１２を保持部材１０の右側に配置してシャッタ１ａ側に係合して摺動することで確実にＭＤ１のシャッタ１ａを開閉できるように形成している。
【００１８】
また、シールドケース２０は、下ケース２２と上ケース２４とからなり、下ケース２２に浮動シャーシ３０を固定し、この下ケース２２の上方から上ケース１４を被うよう嵌合することで、ＭＤ１の記録又は再生時に外部から電磁波の悪影響を受けないように形成している。下ケース２２は、底面及び外周面を備えて凹状に形成され、この凹状の四隅に弾性部材２を支持する支持部２２ａを設け、浮動シャーシ３０をフローティング状態に支持している。
【００１９】
このような構成からなる本発明による記録媒体ローディング装置の実施の形態は、図１に示したように、ＭＤ１を筐体（図示せず）内に挿入すると、ＭＤ１が保持部材１０内に挿入されてＭＤ１のローディングホール（図示せず）が係合部材１２に係合する。この際、浮動シャーシ３０は、シールドケース１０に係合して弾性部材２によるフローティング状態をロック（固定）している。そして、ＭＤ１を更に保持部材１０内に挿入すると、図２に示すように、係合部材１２が保持部材１０の側面（右側）に沿って摺動するとともにアーム部材１４を同時に回動させる。この際、筐体内には、アーム部材１４の回動を感知する感知部（図示せず）が備えてあり、この感知部の感知結果に応じてモータ４が駆動して回転するように形成されている。これにより係合部材１２は、モータ４の回転力がギヤ列６及びアーム部材１４を介して伝達され、図２に示した後方に摺動してＭＤ１を保持部材１０内に収納する。そして、保持部材１０は、図１に示した光ピックアップ３２と磁気ヘッド３４との間で前後及び上下方向に移動してＭＤ１を所定のローディング位置に搬送してＭＤ１の基準穴（図示せず）を浮動シャーシ３０の突起部３０ａに挿入させて位置決めさせる。
【００２０】
この際、アーム部材１４は、図３に示すように、常に、磁気ヘッド３４の上部に配置されて保護するように延在している。このアーム部材１４は、好ましくは、保持部材１０がＭＤ１を所定のローディング位置に搬送する間、磁気ヘッド３４の少なくとも先端部３４ａ（図１参照）の上部を覆って保護するように形成することが望ましい。即ち、ＭＤ１を挿入又は排出する状態では、図２及び図３に示したように、アーム部材１４が磁気ヘッド３４の少なくとも先端部３４ａをカバー（保護）して直接的に外力が加わらないようにしている。このため、磁気ヘッド３４には、従来技術のように保護部材を別途用意する必要がなくなる。
【００２１】
一方、図１に示した浮動シャーシ３０は、保持部材１０がＭＤ１を所定のローディング位置に搬送した後、ロック状態が解除されてフローティング状態に支持され、振動などの衝撃を吸収する。これによりＭＤ１は、フローティング状態の浮動シャーシ３０上で光ピックアップ３２、磁気ヘッド３４により所定の情報を安全に記録又は再生することが可能になる。
このように、本発明による記録媒体ローディング装置の実施の形態は、アーム部材１４により磁気ヘッド３４の上部を保護することで組立や取扱上の不意な破損を防止でき、係合部材１２をＭＤ１のシャッタ１ａ側に設けて係合させることでＭＤ１の挿入及び排出動作を確実に行えるようになる。
【００２２】
以上、本発明による記録媒体ローディング装置を詳細に説明したが、本発明は前述した実施の形態に限定されるものではなく、その要旨を逸脱しない範囲で変更可能である。
例えば、ＭＤを記録又は再生する携帯可能な装置に採用した本発明による記録媒体ローディング装置の実施の形態を説明したが、光ディスクを収納したＭＤに限定するものではなく、磁気ディスクなどの記録媒体を収納したカートリッジを用いて記録又は再生する装置にも適用可能である。
【００２３】
【発明の効果】
このように本発明による記録媒体ローディング装置によれば、係合部材を記録媒体のシャッタ側に係合させて引き込む構造のため、シャッタを開く際に効果的に引き込む駆動力を伝達でき、駆動部に対してロスが少なく、シャッタの開閉動作を良好に行うことが可能になる。
また、本発明による記録媒体ローディング装置によれば、前述したように係合部材を記録媒体のシャッタ側に係合させるため、保持部材内でカートリッジが傾くことを防止でき、カートリッジを光ピックアップ及び磁気ヘッドが位置する記録再生部に確実に位置決めでき、ローディング動作の信頼性を向上することができる。
さらに、本発明による記録媒体ローディング装置によれば、磁気ヘッドの上部にアーム部材が延在して保護しているため、磁気ヘッドの保護部材を別途用意する必要がなく、装置全体のコストダウンが可能になる。
【図面の簡単な説明】
【図１】本発明による記録媒体ローディング装置の実施の形態を示す図。
【図２】図１に示した矢印Ｂ方向から見た平面図。
【図３】図２に示したＣ−Ｃ線の断面を示す断面図。
【図４】従来の記録媒体ローディング装置を示す図。
【図５】図４に示した保持部材を上部から見た状態を示す平面図。
【符号の説明】
１    ＭＤ
１ａ  シャッタ
２    弾性部材
４    モータ
６    ギヤ列
１０    保持部材
１０ａ  突部
１２    係合部材
１４    アーム部材
１４ａ  軸
１４ｂ  係合ピン
１４ｃ  ギヤ
２０    シールドケース
２２    下ケース
２２ａ  支持部
２４    上ケース
３０    浮動シャーシ
３０ａ  突起部
３２    光ピックアップ
３４    磁気ヘッド
３４ａ  先端部
【図１】
0003731080.tif 000002
【図２】
0003731080.tif 000003
【図３】
0003731080.tif 000004
【図４】
0003731080.tif 000005
【図５】
0003731080.tif 000006